(57)【要約】      （修正有）【課題】回路基板またはフレキシブルフラットケーブルに設置できる光センシングスイッチ構造を提供する。【解決手段】回路基板又はフレキシブルフラットケーブルに設置する光センシングスイッチ構造であって、ＬＥＤ１２４とフォトダイオード１２２とを有し、第１先端部と、第１基端部と、第１本体部と、第２先端部と、第２基端部と、第２本体部と、をさらに有する光センシングモジュールと、光線を発するための第１ギャップ１４２と、光線を受信するための第２ギャップ１４４とが、対向的に形成されたボディ１４と、光センシングモジュールとボディとを包むケーシング１６と、を備える。フォトダイオードとＬＥＤのピンは、ボディの配置によって回路基板またはフレキシブルフラットケーブルに電気的に接続することができる。【選択図】図２
0003227338.tif 000002
【実用新案登録請求の範囲】
【請求項１】
回路基板又はフレキシブルフラットケーブルに設置する光センシングスイッチ構造であって、
ＬＥＤとフォトダイオードとを有し、前記ＬＥＤからの光線を前記フォトダイオードが受信すると、第１信号を生成し、前記光線の進行が前記ＬＥＤと前記フォトダイオードとの間で阻まれると、第２信号を生成し、
前記フォトダイオードに接続する第１先端部と、前記回路基板又は前記フレキシブルフラットケーブルに接続する第１基端部と、前記第１先端部と前記第１基端部と一体化された第１本体部と、
前記ＬＥＤに接続する第２先端部と、前記回路基板又は前記フレキシブルフラットケーブルに接続する第２基端部と、前記第２先端部と前記第２基端部と一体化された第２本体部と、
をさらに有する光センシングモジュールと、
前記光線を発するための第１ギャップと、前記光線を受信するための第２ギャップとが、対向的に形成されたボディと、
前記光センシングモジュールと前記ボディとを包むケーシングと、
を備えることを特徴とする光センシングスイッチ構造。
【請求項２】
前記第１本体部と前記第１基端部とは、互いに平行し、且つ同一平面上に位置しなく
、前記第２本体部と前記第２基端部とは、互いに平行し、且つ同一平面上に位置しない
ことを特徴とする請求項１に記載の光センシングスイッチ構造。
【請求項３】
前記第１基端部は、前記第１ギャップの方向に伸び、
前記第２基端部は、前記第２ギャップの方向に伸びる
ことを特徴とする請求項２に記載の光センシングスイッチ構造。
【請求項４】
前記第１基端部は、前記第２ギャップの方向に伸び、
前記第２基端部は、前記第１ギャップの方向に伸びる
ことを特徴とする請求項２に記載の光センシングスイッチ構造。
【請求項５】
前記ケーシングの底部には、第３ギャップをさらに有し、前記第１基端部と前記第２基端部は、前記第３ギャップから露出することを特徴とする請求項１に記載の光センシングスイッチ構造。
【請求項６】
前記第１基端部と前記第２基端部が前記回路基板又は前記フレキシブルフラットケーブルに電気的に接続させるように、前記回路基板又は前記フレキシブルフラットケーブルを前記第３ギャップ内に保持するために、前記第３ギャップ内に設置する封止体をさらに備えることを特徴とする請求項５に記載の光センシングスイッチ構造。
【請求項７】
前記第３ギャップは、前記ケーシングの両翼端に設けることを特徴とする請求項５に記載の光センシングスイッチ構造。
【請求項８】
前記ケーシングの翼端に形成されるロック部材をさらに備えることを特徴とする請求項６に記載の光センシングスイッチ構造。
【請求項９】
前記封止体に接続するロック部材をさらに備えることを特徴とする請求項６に記載の光センシングスイッチ構造。
【請求項１０】
前記ケーシングは、第１開口部と第２開口部とをさらに有し、
前記第１開口部は、前記第１ギャップに対応するように設けられ、
前記第２開口部は、前記第２ギャップに対応するように設けられる
ことを特徴とする請求項６に記載の光センシングスイッチ構造。
【考案の詳細な説明】
【技術分野】
【０００１】
本考案は、光センシングの技術分野、特に、回路基板またはフレキシブルケーブルに搭載する光センシングスイッチ構造に関する。
【背景技術】
【０００２】
従来の光センシングアセンブリでは、ピンは固定されており、回路基板の設計は固定されたピン位置に従って行うしかない。また、ピンの長さは限られているため、回路基板の搭載面になるべく近づいて設置するのが一般的であるため、基板から離れて設置することが困難である。
【考案の概要】
【考案が解決しようとする課題】
【０００３】
以上のように、従来の設置方式では、回路のレイアウトの設計時又は組み立て時に妨げとなり、また、光センシングモジュールが損傷した場合、容易に交換または修理することもできない。
【０００４】
本考案は、上記従来の問題を解決できる光センシングスイッチ構造を提供する。
【課題を解決するための手段】
【０００５】
本考案の第一の目的は、回路基板またはフレキシブルフラットケーブルに設置できる光センシングスイッチ構造を提供することにある。
【０００６】
本考案の第二の目的は、上記光センシングスイッチ構造において、ボディの配置を変えることでピンの位置（先端部、本体部、基端部）を変更して、光センシングスイッチを回路基板またはフレキシブルフラットケーブルに簡単に設置することにある。
【０００７】
本考案の第三の目的は、上記光センシングスイッチ構造において、ギャップと封止体とがフレキシブルフラットケーブルを挟持し、且つ光センシングモジュールを電気的に接続させることで、光センシングスイッチを基板又はフレキシブルフラットケーブルから離れて設置することにある。
【０００８】
以上の目的及び他の目的を達成するために、本考案は、回路基板又はフレキシブルフラットケーブルに設置する光センシングスイッチ構造であって、ＬＥＤとフォトダイオードとを有し、前記ＬＥＤからの光線を前記フォトダイオードが受信すると、第１信号を生成し、前記光線の進行が前記ＬＥＤと前記フォトダイオードとの間で阻まれると、第２信号を生成し、前記フォトダイオードに接続する第１先端部と、前記回路基板又は前記フレキシブルフラットケーブルに接続する第１基端部と、前記第１先端部と前記第１基端部と一体化された第１本体部と、前記ＬＥＤに接続する第２先端部と、前記回路基板又は前記フレキシブルフラットケーブルに接続する第２基端部と、前記第２先端部と前記第２基端部と一体化された第２本体部と、をさらに有する光センシングモジュールと、前記光線を発するための第１ギャップと、前記光線を受信するための第２ギャップとが、対向的に形成されたボディと、前記光センシングモジュールと前記ボディとを包むケーシングと、を備える光センシングスイッチ構造を提供する。
【考案の効果】
【０００９】
本考案の光感知スイッチ構造によれば、回路基板の実際のレイアウトに応じて、ボディの配置を変えることで、ピンの位置を変更して、基板と近づいて設置する時の基板設計を実現させることができる、また、本考案の光感知スイッチ構造によれば、ギャップと封止体と配置によって、フレキシブルフラットケーブルを用いて、基板と離れて設置する時の基板設計を実現させることができる。
【図面の簡単な説明】
【００１０】
【図１】図１は、本考案の第１実施形態にかかる光センシングスイッチ構造を示す図である。
【図２】図２（ａ）〜図２（ｃ）は、図１の光センシングスイッチ構造の詳細を示す図である。
【図３】図３は、本考案の第１実施形態にかかる光センシングスイッチ構造を示す断面図である。
【図４】図４は、本考案の第２実施形態にかかる光センシングスイッチ構造を示す図である。
【図５】図５（ａ）〜図５（ｂ）は、図４の光センシングスイッチ構造の詳細を示す図である。
【図６】図６は、本考案の第２実施形態にかかる光センシングスイッチ構造を示す断面図である。
【図７】図７は、本考案の第３実施形態にかかる光センシングスイッチ構造を示す図である。
【図８】図８（ａ）〜図８（ｃ）は、図７の光センシングスイッチ構造の詳細を示す図である。
【図９】図９は、本考案の第３実施形態にかかる光センシングスイッチ構造を示す断面図である。
【図１０】図１０は、本考案の第４実施形態にかかる光センシングスイッチ構造を示す図である。
【図１１】図１１は、本考案の第５実施形態にかかる光センシングスイッチ構造を示す図である。
【図１２】図１２は、本考案の第６実施形態にかかる光センシングスイッチ構造を示す図である。
【図１３】図１３は、本考案の第７実施形態にかかる光センシングスイッチ構造を示す図である。
【考案を実施するための形態】
【００１１】
本考案の目的、特徴及び効果を十分に理解するために、以下の具体的な実施例及び図面により、本考案を詳しく説明する。
【００１２】
本考案において、「１つ」を使用して本明細書におけるユニットとアセンブリを記載する。これは説明しやすいためのみであり、かつ本考案の範囲に一般的な意義を提供する。よって、わざわざと別の意味を指摘しない限り、このような記載は、１つ、少なくとも１つを含み、かつ単数も同時に複数を含む。
【００１３】
本考案において、「含む」、「備える」、「有する」、「含まれる」の用語又は他の任意の類似用語は、非排他的なものをカバーすることを意図している。例を挙げると、複数の要素を含む１つのアセンブリと、構造と、製品又は装置は、本明細書で説明されるような要素に限らない、明確に説明されないが、当該アセンブリと、構造と、製品又は装置の一般的に固有する他の要素を含んでもよい。それ以外に、逆の明確な説明がない限り、用語「又は」は包括的な「又は」を指し、排他的な「又は」ではない。
【００１４】
図１は、本考案の第１実施形態にかかる光センシングスイッチ構造を示す図である。図１に示すように、光センシングスイッチ構造１０は、デュエルインラインパッケージ（ｄｕａｌ  ｉｎ−ｌｉｎｅ  ｐａｃｋａｇｅ（ＤＩＰ））とも呼ぶ。光センシングスイッチ構造１０は、回路基板２（又はフレキシブルフラットケーブル４、図４参照）に設置することができる。以下では、回路基板２を例に説明する。回路基板２には、例えば、銅穴、はんだ付け穴、ワイヤ、はんだなどのような電力又は信号を送受信するための電気接続端を形成されている。
【００１５】
図２（ａ）〜図２（ｃ）は、図１の光センシングスイッチ構造の詳細を示す図である。光センシングスイッチ構造１０は、光センシングモジュール１２と、ボディ１４と、ケーシング１６と、を備える。
【００１６】
光センシングモジュール１２は、フォトダイオード１２２と、ＬＥＤ１２４とを有し、図２（ａ）に示すように、ＬＥＤ１２４からの光線（図示せず）をフォトダイオード１２２が受信すると、光センシングモジュール１２は、第１信号を生成する。一方、光線の進行がＬＥＤ１２４とフォトダイオード１２２との間で阻まれると、光センシングモジュール１２は、第２信号を生成する。このように、第１信号と第２信号はそれぞれ、フォトダイオード１２２が光源を感知できたかどうかを表す。具体的には、フォトダイオード１２２による光源の感知は、光線を受信したか、あるいは受信した光線の強さによって決まる。
【００１７】
また、光センシングモジュール１２は、第１先端部１２２２と、第１本体部１２２４と、第１基端部１２２６と、第２先端部１２４２と、第２本体部１２４４と、第２基端部１２４６と、をさらに有する。
【００１８】
第１本体部１２２４は、第１先端部１２２２と第１基端部１２２６とを一体化されている。第１先端部１２２２はフォトダイオード１２２に接続する。第１基端部１２２６は回路基板２に接続する。また、第１先端部１２２２、第１本体部１２２４、及び第１基端部１２２６は金属製である。
【００１９】
第２本体部１２４４は、第２先端部１２４２と第２基端部１２４６とを一体化されている。第２先端部１２４２はフＬＥＤ１２４に接続する。第２基端部１２４６は回路基板２に接続する。また、第２先端部１２４２、第２本体部１２４４、及び第２基端部１２４６は金属製である。
【００２０】
図２（ｂ）に示すように、非金属製のボディ１４に相対的に形成された第１ギャップ１４２と第２ギャップ１４４を介して、光センシングモジュール１２を設置することで、上記光線は、第１ギャップ１４２から第２ギャップ１４４まで届く
ことができる。
【００２１】
図２（ｃ）に示すように、ケーシング１６は、光センシングモジュール１２とボディ１４とを封止することができる。本実施形態では、ケーシング１６には、第１開口部１６２と第２開口部１６４とをさらに有する。第１開口部１６２は第１ギャップ１４２に対応し、第２開口部１６４は第２ギャップ１４４に対応する。
【００２２】
図３は、本考案の第１実施形態にかかる光センシングスイッチ構造を示す断面図である。図３に示すように、第１基端部１２２６と第２基端部１２４６はボディ１４の底部に露出する。また、図２（ａ）に示すように、第１本体部１２２４と第１基端部１２２６、及び第２本体部１２４４と第２基端部１２４６とは、互いに平行して同一平面上に位置しない。ここで「互いに平行」とは、図面のＹ軸方向での平行と指し、「平面」とは、Ｙ軸によって形成した平面と指す。
【００２３】
図４は、本考案の第２実施形態にかかる光センシングスイッチ構造を示す図である。図４に示すように、光センシングスイッチ構造１０’は、第１実施形態の光センシングモジュール１２とボディ１４以外に、ケーシング１６’と、封止体１８と、ロック部材２０とを備える。このように、光センシングスイッチ構造１０’は、プラグアンドプレイ型（Ｐｌｕｇ  ａｎｄ  Ｐｌａｙ（ＰＮＰ））と呼ぶ。
【００２４】
光センシングスイッチ構造１０’の光センシングモジュール１２とボディ１４は、光センシングスイッチ構造１０と同様なので、ここでは贅述しない。
【００２５】
図５（ａ）〜図５（ｂ）は、図４の光センシングスイッチ構造の詳細を示す図である。
【００２６】
図５（ａ）に示すように、光センシングモジュール１２は、第１先端部１２２２と、第１本体部１２２４と、第１基端部１２２６と、第２先端部１２４２と、第２本体部１２４４と、第２基端部１２４６と、をさらに有する。第１基端部１２２６と第２基端部１２４６は、フレキシブルフラットケーブル４の機能に応じて露出位置を変更することで、フレキシブルフラットケーブル４に電気的接続することができ、電力と信号の送受信を行う。
【００２７】
図５（ｂ）に示すように、第２実施例のボディ１４は、底部に第３ギャップをさらに有する点で第１実施例のボディ１４と異なる。この場合、第１基端部１２２６と第２基端部１２４６は、第３ギャップから露出するようになっている。なお、第３ギャップ、ケーシング１６の両翼端の間に位置するようになっている。
【００２８】
封止体１８は、フレキシブルフラットケーブル４が第３ギャップ内に保持されるように第３ギャップに設置（埋め込み）している。そうすることで、第１基端部１２２６と第２基端部１２４６は、フレキシブルフラットケーブル４と電気的に接続するようにフレキシブルフラットケーブル４を通過する（図６の本考案の第２実施形態にかかる光センシングスイッチ構造を示す断面図も参照）。
【００２９】
図４の実施例に戻る。ロック部材２０は、例えば、外部ケーシングまたは別の回路基板にロックするために、ケーシング１６’の翼端に形成される。
【００３０】
図７は、本考案の第３実施形態にかかる光センシングスイッチ構造を示す図である。図７に示すように、光センシングスイッチ構造１０’’は、第１実施例の光センシングモジュール１２と、ボディ１４と、ケーシング１６とを備える。光センシングスイッチ構造１０’’は、表面実装型デバイス（Ｓｕｒｆａｃｅ  Ｍｏｕｎｔ  Ｄｅｖｉｃｅ（ＳＭＤ））と呼ぶ。
【００３１】
光センシングスイッチ構造１０’’の光センシングモジュール１２とボディ１４は、光センシングスイッチ構造１０と同様なので、ここでは贅述しない。
【００３２】
図８（ａ）〜図８（ｃ）は、図７の光センシングスイッチ構造の詳細を示す図である。
【００３３】
図８（ａ）に示すように、光センシングモジュール１２は、第１先端部１２２２と、第１本体部１２２４と、第１基端部１２２６と、第２先端部１２４２と、第２本体部１２４４と、第２基端部１２４６と、をさらに有する。第１基端部１２２６は、第２ギャップ１４の方向に伸び、第２基端部１２６６は、第１ギャップ１４の方向に伸びる。
【００３４】
図８（ｂ）に示すように、ボディ１４に相対的に形成された第１ギャップ１４２と第２ギャップ１４４を介して、第１ギャップ１４２から第２ギャップ１４４まで光線が届くができる。
【００３５】
図８（ｃ）に示すように、ケーシング１６は、回路基板２に直接に設置（例えば、半田付け）することができる。図９は、本考案の第３実施形態にかかる光センシングスイッチ構造を示す断面図である。
【００３６】
本発明の上記各実施例に限定されることなく、様々の変形例（例えば、以下のような変形）例で適用することができる。
【００３７】
図１０に示すように、光センシングスイッチ構造１０’’’は、プラグアンドプレイ型であり、フレキシブルフラットケーブル４は、ボディ１４底部の側面から延びるようになっている。
【００３８】
図１１に示すように、光センシングスイッチ構造１０’’’’は、プラグアンドプレイ型であり、フレキシブルフラットケーブル４は、ボディ１４底部の側面から延びるようになっている。
【００３９】
図１２に示すように、光センシングスイッチ構造１０’’’’’は、表面実装型であり、フレキシブルフラットケーブル４は回路基板２の上に挟まれている。
【００４０】
図１３に示すように、光センシングスイッチ構造１０’’’’’’は、プラグアンドプレイ型であり、フレキシブルフラットケーブル４は回路基板２の上に挟まれており、両翼辺にはロック部材１６６を形成されている。
【００４１】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００４２】
２…回路基板
４…フレキシブルフラットケーブル
１０、１０’’、１０’’’、１０’’’’、１０’’’’’、１０’’’’’’…  光センシングスイッチ構造
１２…光センシングモジュール
１２２…フォトダイオード
１２２２…第１先端部
１２２４…第１本体部
１２２６…第１基端部
１２４…ＬＥＤ
１２４２…第２先端部
１２４４…第２本体部
１２４６…第２基端部
１４…ボディ
１４２…第１ギャップ
１４４…第１ギャップ
１６、１６’…ケーシング
１６２…第１開口部
１６４…第２開口部
１８…封止体
２０…ロック部材
【図１】
0003227338.tif 000003
【図２】
0003227338.tif 000004
【図３】
0003227338.tif 000005
【図４】
0003227338.tif 000006
【図５】
0003227338.tif 000007
【図６】
0003227338.tif 000008
【図７】
0003227338.tif 000009
【図８】
0003227338.tif 000010
【図９】
0003227338.tif 000011
【図１０】
0003227338.tif 000012
【図１１】
0003227338.tif 000013
【図１２】
0003227338.tif 000014
【図１３】
0003227338.tif 000015